(57)【特許請求の範囲】
【請求項１】
楽音信号を入力する第１の入力手段と、
前記第１の入力手段から入力された楽音信号のピッチを検出するピッチ検出手段と、
前記第１の入力手段から入力された楽音信号のエンベロープを検出するエンベロープ検出手段と、
前記ピッチ検出手段の検出結果に基づいて周波数特性が制御され、前記周波数特性に基づき入力された楽音信号を制御して出力するフィルター手段と、
前記エンベロープ検出手段の検出結果に基づいて係数が制御され、前記フィルター手段から出力された楽音信号に前記係数を乗算して出力する乗算出力手段と、
前記第１の入力手段から入力された楽音信号と前記乗算出力手段から出力された楽音信号とを合成して出力する合成出力手段と、
前記合成出力手段から出力される楽音信号を前記フィルター手段に入力する第２の入力手段と
を有することを特徴とする効果装置。
【請求項２】
前記エンベロープ検出手段により検出されたエンベロープが所定レベル以下に減衰した場合には、前記係数を立ち下げるようにする
ことを特徴とする請求項１の効果装置。
【請求項３】
前記係数を制御するための操作子をさらに有し、
前記エンベロープ検出手段の検出結果と、前記操作子の操作量とに基づいて前記係数を制御する
ことを特徴とする請求項１の効果装置。
【発明の詳細な説明】
【０００１】
【発明の属する技術分野】
本発明は、効果装置に関し、さらに詳細には、弦楽器などに用いて好適な効果装置に関する。
【０００２】
【発明の背景】
一般に、弦楽器の一つとして、ロック・ミュージックやポピュラー・ミュージックの演奏などに用いられる電気ギター（エレキ・ギター）が知られている。
【０００３】
こうした電気ギターによりロック・ミュージックを演奏する際の奏法の一つとして、フィードバック奏法と称される特殊奏法がある。
【０００４】
このフィードバック奏法とは、電気ギターで弾弦した楽音を拡声して放音しているギター・アンプのスピーカーに、当該弾弦した状態のままの電気ギターを近づけるという動作によって行われる。このようにすると、電気ギターの弦とスピーカーとこれら両者を繋ぐ音響空間とによってフィードバック・ループが形成されることになり、弾弦に基づいてギター・アンプによって拡声されてスピーカーから出力される楽音の空気振動により、その楽音の周波数に基づくピッチで弦がさらに振動されるフィードバックが起こることになる。
【０００５】
このフィードバックにより、弾弦によって開始された弦の振動が減衰されず、当該弾弦した状態の振動を維持することができるようになるので、当該弾弦による弦の振動に基づく楽音の発音も減衰されることなく、当該弾弦に基づく楽音の音高による発音が持続されるフィードバック演奏が行われることになるものである。
【０００６】
演奏者がこのようなフィードバック奏法を行うと、当該弾弦に基づく楽音の音高による発音が減衰されずに持続されるため、ステージでの演奏などにおいては、聴衆に極めて強いインパクトを与えることができるようになる。
【０００７】
【発明が解決しようとする課題】
しかしながら、フィードバック奏法によりフィードバック演奏を実現するためには、ギター・アンプを用いてフィードバック奏法によるフィードバックが起きるまで楽音を大音量に拡声する必要があり、実際にかなりの音量が必要となるものであった。このため、完全に防音されたスペース内で演奏を行わない限り、フィードバック奏法によりフィードバックを起こすことが困難であり、演奏場所に制限を受けるという問題点があった。
【０００８】
また、フィードバック奏法によりフィードバックが起きたとしても、このフィードバックを持続するためには弾弦の方法やギター・アンプとギターの位置関係などを微妙にコントロールする必要があり、フィードバックを演奏者の意図通りに実現させることは、極めて難しいという問題点があった。
【０００９】
即ち、上記したようにフィードバック奏法は、弦の弾弦に基づいて発音される楽音と同じ音高の楽音の発音が、スピーカーからの放音に基づく上記フィードバックにより維持されるようにするものである。このためには、弾弦の仕方、弦をスピーカーに近づけるタイミング、スピーカーと弦との距離や方向、スピーカーから発音される楽音の音量などを微妙にコントロールする必要があった。従って、フィードバック奏法を使いこなすには、優れたテクニック、非常に豊富な経験、さらにこうしたテクニックや経験に裏打ちされた「勘」や「こつ」を必要とし、プロのギタリストでさえ失敗してしまうことがしばしばあった。
【００１０】
つまり、弾弦した弦をスピーカーに近づけるというフィードバック奏法のための動作を行っても、弦がフィードバックにより振動せず、すぐに減衰して楽音が消音してしまったり、弾弦に基づいて発生される楽音の音高とは異なる音高の楽音でフィードバック演奏されたり、当初は弾弦に基づいて発生される楽音の音高で適正にフィードバック演奏されても、その状態を維持することができなかったりするものであった。
【００１１】
本発明は、上記したような問題点に鑑みてなされたものであり、その目的とするところは、電気ギターの弦振動などに基づく楽音信号のように、減衰する楽音信号にフィードバック演奏を模擬する効果を付加し、フィードバック奏法に基づき達成されるフィードバック演奏と同一の効果を、如何なる場所でも確実に実現できるようにした効果装置を提供しようとするものである。
【００１２】
【課題を解決するための手段】
上記目的を達成するために、本発明による効果装置は、内部にフィードバック演奏を模擬する電気的なフィードバック・ループを形成し、フィードバック奏法で実現されるフィードバック演奏により得られる楽音を模擬した楽音を、容易かつ安定的に生成することを可能にするものである。
【００１３】
即ち、本発明による効果装置は、実際のフィードバック奏法により形成されるフィードバック・ループを電気的に再現することにより、フィードバック奏法で実現されるフィードバック演奏を模擬するものであり、楽音信号を入力する第１の入力手段と、上記第１の入力手段から入力された楽音信号のピッチを検出するピッチ検出手段と、上記ピッチ検出手段の検出結果に基づいて周波数特性が制御され、上記周波数特性に基づき入力された楽音信号を制御して出力するフィルター手段と、上記第１の入力手段から入力された楽音信号と上記フィルター手段から出力された楽音信号とを合成して出力する合成出力手段と、上記合成出力手段から出力される楽音信号を上記フィルター手段に入力する第２の入力手段とを有するようにしたものである。
【００１４】
図１は、上記した本発明による効果装置を示す機能ブロック図であり、この効果装置１０は、例えば、電気ギター１２の弦１４などのような振動体の振動を、ピックアップ１６などの検出変換手段により検出して電気信号に変換し、この電気信号を楽音信号として入力する入力手段１８と、入力手段１８から入力された楽音信号のピッチを検出するピッチ検出手段２０と、ピッチ検出手段２０の検出結果に基づいて周波数特性が制御され、この周波数特性に基づき入力された楽音信号を制御して出力するフィルター手段２２と、入力手段１８から入力された楽音信号とフィルター手段２２から出力された楽音信号とを合成して出力する合成出力手段としての加算器２４と、合成出力手段２４から出力される楽音信号をフィルター手段２２に入力する入力手段としてのフィードバック・ループ２６とを備えている。
【００１５】
即ち、上記した効果装置１０においては、フィードバック・ループ２６により入力手段１８に入力された楽音信号をフィルター手段２２を介してフィードバックし、入力手段１８に入力された楽音信号とフィードバックされた楽音信号とを加算器２４により合成して出力するという、電気的なフィードバック回路が構成されていることになる。
【００１６】
ここで、上記フィードバック回路を一巡利得が「１」となるように構成すれば、このフィードバック回路は発振することになる。そして、発振の際のピッチはフィルター手段２２の周波数特性に基づき決定されることになるものであり、フィルター手段２２の周波数特性はピッチ検出手段２０により検出された楽音信号（入力手段１８から入力された楽音信号である。）のピッチに基づいて制御されるものであるから、結果として、入力手段１８から入力された楽音信号のピッチにより発振することになり、フィードバック奏法で実現されるフィードバック演奏を模擬することができる。
【００１７】
ここで、上記したフィードバック回路により、フィードバック奏法で実現されるフィードバック演奏を精確に模擬するためには、フィルター手段２２が、弦１４を弾弦したときに発生される所望の音高の楽音（電気ギター１２においては、弦１４をフレットに押下することによって演奏者により指定される音高の楽音であり、以下「ファンダメンタル」と称す。）のピッチに対応する周波数を中心周波数とした所定の帯域幅の周波数成分のみを通過させることが望ましい。
【００１８】
従って、ピッチ検出手段２０は入力された楽音信号のファンダメンタルのピッチを検出するように構成し、フィルター手段２２はファンダメンタルのピッチに対応する周波数を中心周波数とした所定の帯域幅の周波数成分のみを通過させるバンド・パス・フィルターを含むように構成することが好ましい。このように、ピッチ検出手段２０とフィルター手段２２とを構成することにより、ファンダメンタルの周波数成分が強調された楽音信号がフィードバック・ループ２６を巡回して発振し、ファンダメンタルの周波数の楽音が発生することになって、フィードバック奏法で実現されるフィードバック演奏を極めて精確に模擬することができる。
【００１９】
また、本発明による効果装置は、上記した構成要素に加えて、上記第１の入力手段から入力された楽音信号のエンベロープを検出するエンベロープ検出手段と、上記エンベロープ検出手段の検出結果に基づいて係数が制御され、上記フィルター手段から出力された楽音信号に上記エンベロープ検出手段の検出結果に基づいて制御された係数を乗算して出力する乗算出力手段とを設けるようにして、上記合成出力手段が、上記第１の入力手段から入力された楽音信号と上記乗算出力手段から出力された楽音信号とを合成して出力するように構成してもよい。ここで、上記乗算出力手段により乗算される係数は、フィードバック回路におけるフィードバック係数となる。
【００２０】
実際のフィードバック奏法においては、フィードバック奏法を行わないときには電気ギターの弦を指で触れて、電気ギターの弦の振動を止めることにより不必要な発音を防止しているが、上記したように構成することにより、こうした実際のフィードバック奏法を模擬できる。即ち、エンベロープ検出手段によって検出されたエンベロープに応じて乗算の係数（フィードバック係数）を制御する乗算出力手段を設けることにより、弦１４の振動の状態に応じて乗算出力手段により乗算の係数（フィードバック係数）が制御されることになり、フィードバック回路の不要な発振を防ぐことができることになる。
【００２１】
さらに、本発明による効果装置においては、エンベロープ検出手段の検出結果に基づいて、第１の入力手段から入力された楽音信号のレベルの制御を行うようにしてもよい。
【００２２】
このように、エンベロープにより入力された楽音信号のレベルの制御を行うようにすると、フィードバック回路における原楽音信号（第１の入力手段から入力された楽音信号）とフィードバックされた楽音信号との減衰のタイミングをエンベロープに応じて変化させることができるようになる。
【００２３】
さらにまた、本発明による効果装置においては、フィルター手段が櫛形フィルターを含むように構成してもよい。
【００２４】
このように、フィルター手段が櫛形フィルターを含むように構成すると、ピッチ検出手段で検出されたピッチに対応する周波数の他に、その倍音成分も強調されるようになり、より自然な効果が得られる。
【００２５】
さらにまた、本発明による効果装置においては、非線形処理手段を設けるようにして、楽音信号を増幅したりあるいは歪ませたりするようにして、オーバー・ドライブ効果やディストーション効果を付加するようにしてもよい。
【００２６】
また、本発明による効果装置においては、乗算出力手段の乗算の係数（フィードバック係数）を制御するための操作子を設け、当該係数が入力された楽音信号のエンベロープと当該操作子の操作量とに基づいて制御されるようにしてもよく、このようにすると、演奏中にリアル・タイムで当該係数を任意に変化させることができ、フィードバックされる楽音信号のレベルを変化させることができる。さらに、本発明による効果装置においては、フィルター手段の周波数特性を制御するための操作子を設け、当該周波数特性が入力された楽音信号のピッチと当該操作子の操作量とに基づいて制御されるようにしてもよく、このようにすると、演奏中にリアル・タイムで当該周波数特性を任意に変化させることができ、フィードバックされる楽音信号の音質を変化させることができる。
【００２７】
さらにまた、本発明による効果装置においては、第１の入力手段から入力された楽音信号のレベルの制御を行うための操作子を設け、入力された楽音信号のレベルがエンベロープと当該操作子の操作量とに基づいて制御されるようにしてもよく、このようにすると、演奏中にリアル・タイムでフィードバック回路における原楽音信号（第１の入力手段から入力された楽音信号）とフィードバックされた楽音信号との減衰のタイミングを任意に変化させることができるようになる。また、本発明による効果装置においては、複数の楽音信号を独立して入力可能なように第１の入力手段を構成し、フィードバック回路内の各構成要素も当該第１の入力手段に入力された複数の楽音信号をそれぞれ独立して処理するために複数のフィードバック回路を備えるように構成し、例えば、電気ギターにおいて複数の弦が同時に弾弦された際に、当該複数の弦の同時弾弦に対応してフィードバック奏法を模擬することができるようにしてもよい。
【００２８】
さらに、本発明による効果装置においては、上記したように複数の楽音信号を独立して処理可能なように構成した際に、複数のフィードバック回路の中で非線形処理手段などを共通に用いるようにして、構成を簡素化するとともに、実際のフィードバック奏法に近いフィードバック回路を構成するようにしてもよい。
【００２９】
なお、本発明と同様に、フィードバック奏法を模擬することを目的とした発明として、例えば、特開平５−２８９６６４号公報、実開平６−２５８９６号公報、実開平６−２５８９８号公報に開示されたような発明がある。
【００３０】
しかしながら、特開平５−２８９６６４号公報に開示された発明は、ピッチ・シフタによって疑似的にフィードバック音を生成し、原音に徐々に加えていくことによってフィードバック奏法を模擬するものであり、ピッチ・シフタを用いていない本発明とは、その技術思想を全く異にするものである。
【００３１】
また、実開平６−２５８９６号公報に開示された発明は、楽音信号を記憶し繰り返し再生することで、疑似的にフィードバック音を生成し、原音に徐々に加えていくことによってフィードバック奏法を模擬するものであり、楽音信号を記憶する処理を行わない本発明とは、その技術思想を全く異にするものである。
【００３２】
さらに、実開平６−２５８９８号公報に開示された発明は、楽音信号のピッチに対応して楽音信号にフィルター処理を行い、フィードバック演奏が起こり易い状態を誘発するものであり、内部に電気的なフィードバック回路を形成する本発明とは、その技術思想を全く異にするものである。
【００３３】
【発明の実施の形態】
以下、添付の図面を参照しながら、本発明による効果装置の実施の形態を詳細に説明する。
【００３４】
図２には、本発明による効果装置の実施の形態の一例が示されており、この効果装置１００は、入力端子１０２が、ピックアップを備えた電気ギターなどの入力装置（図示せず）の出力端子に接続され、出力端子１０４が、ギター・アンプ、オーディオ・ミキサーあるいはヘッドホンなどの出力装置（図示せず）の入力端子に接続されて、入力装置と出力装置との間にセットされて使用されるものである。即ち、この効果装置１００においては、例えば、電気ギターの弦の弾弦による弦振動がピックアップにより電気信号に変換され、この電気信号が楽音信号として入力端子１０２を介して入力され、後述する所定の処理を施された後に、出力端子１０４を介してギター・アンプへ出力され、ギター・アンプのスピーカーから弦の弾弦に基づく楽音が放音されることになる。
【００３５】
この効果装置は、その全体の動作の制御をマイクロ・コンピュータ１０６を用いて制御するように構成されており、入力端子１０２から入力された楽音信号を増幅するアンプ１０８と、アンプ１０８によって増幅された楽音信号を入力されて当該入力された楽音信号のピッチを検出するピッチ検出手段１１０と、アンプ１０８によって増幅された楽音信号を入力されて当該入力された楽音信号のエンベロープを検出するエンベロープ検出手段１１２と、アンプ１０８によって増幅された楽音信号を入力されて当該入力された楽音信号に入力係数を乗算してレベル調整を行う入力係数調整手段１１４と、入力係数調整手段１１４によりレベル調整された楽音信号と後述するフィードバック係数調整手段１２６から出力された楽音信号とを合成する加算器１３０と、加算器１３０から出力された楽音信号を入力されて当該入力された楽音信号に非線形処理を行う非線形処理手段１１６とを有している。
【００３６】
そして、非線形処理手段１１６により非線形処理された楽音信号は、アンプ１１８に入力されて増幅され、アンプ１１８で増幅された楽音信号は、出力端子１０４を介して出力装置に出力されることになる。
【００３７】
また、非線形処理手段１１６により非線形処理された楽音信号は、フィードバック・ループ１２０を介して非線形処理手段１１６にフィードバックされることになる。このフィードバック・ループ１２０には、バンド・パス・フィルター１２２と、櫛形フィルター１２４と、フィードバック係数を調整するためのフィードバック係数調整手段１２６とが設けられている。
【００３８】
さらに、この効果装置１００は、パラメータ制御手段１２８を備えていて、このパラメータ制御手段１２８により、入力係数調整手段１１４、バンド・パス・フィルター１２２、櫛形フィルター１２４ならびにフィードバック係数調整手段１２６の各パラメータが制御されることになる。
【００３９】
なお、フィードバック係数調整手段１２６のフィードバック係数を制御することにより、フィードバック・ループ１２０により構成されるフィードバック回路が発振することになる。
【００４０】
上記した効果装置１００の各構成を、楽音信号の流れに従ってさらに詳細に説明すると、入力端子１０２から入力された楽音信号は、アンプ１０８で増幅され、ピッチ検出手段１１０およびエンベロープ検出手段１１２に送出されるとともに、入力係数調整手段１１４および加算器１３０を介して非線形処理手段１１６へ送出されることになる。
【００４１】
ここで、非線形処理手段１１６は、楽音信号を増幅したり、楽音信号に歪み成分を付加したりする処理を行うものであり、これにより楽音信号にオーバー・ドライブ効果やディストーション効果などが付加されることになる。即ち、非線形処理手段１１６は、ギター・アンプの作用と同様な作用を実現するものである。こうした非線形処理手段１１６により処理された楽音信号は、アンプ１１８およびフィードバック・ループ１２０へ送出される。
【００４２】
また、楽音信号を送出されたピッチ検出手段では、当該楽音信号のピッチが検出され、検出されたピッチを示すピッチ・データは、マイクロ・コンピュータ１０６に取り込まれる。そして、マイクロ・コンピュータ１０６では当該ピッチ・データに基づいて、バンド・パス・フィルター１２２ならびに櫛形フィルター１２４の特性を示す中心周波数、通過帯域幅および通過レベルの各パラメータを求め、求めた各パラメータをパラメータ制御手段１２８に送出し、パラメータ制御手段１２８は送出された各パラメータに従ってバンド・パス・フィルター１２２ならびに櫛形フィルター１２４を制御する。
【００４３】
このとき、バンド・パス・フィルター１２２ならびに櫛形フィルター１２４の中心周波数は、音楽的に有効な周波数となるように制御する。即ち、入力装置として電気ギターを用いた場合には、弦の弾弦により発音される楽音のファンダメンタルのピッチまたはその整数倍に対応する周波数となるように制御することになる。
【００４４】
従って、バンド・パス・フィルター１２２ならびに櫛形フィルター１２４は、フィードバック・ループ１２０において、入力された楽音信号の中でファンダメンタルのピッチまたはその整数倍に対応する周波数を中心周波数とし、設定された帯域幅の周波数成分のみを設定された通過レベルにより通過させるので、ファンダメンタルのピッチまたはその整数倍に対応する周波数成分が強調された楽音信号が、フィードバック係数調整手段１２６および加算器１３０を介して非線形処理手段１１６に送出されることになる。
【００４５】
なお、バンド・パス・フィルター１２２とともに櫛形フィルター１２４を用いているので、指定した周波数の他にその倍音成分も強調され、より自然楽器に近い円滑な発音効果を得ることができる。
【００４６】
一方、楽音信号を送出されたエンベロープ検出手段１１２では、当該楽音信号のエンベロープが検出され、検出されたエンベロープを示すエンベロープ・データは、マイクロ・コンピュータ１０６に取り込まれる。そして、マイクロ・コンピュータ１０６では当該エンベロープ・データに基づいて、入力係数調整手段１１４の入力係数ならびにフィードバック係数調整手段１２６のフィードバック係数の各パラメータを求め、求めた各パラメータをパラメータ制御手段１２８に送出し、パラメータ制御手段１２８は送出された各パラメータに従って入力係数調整手段１１４の入力係数ならびにフィードバック係数調整手段１２６のフィードバック係数を制御する。
【００４７】
ここで、入力係数調整手段１１４の入力係数ならびにフィードバック係数調整手段１２６のフィードバック係数の制御は、入力された楽音信号のエンベロープに応じて、例えば、図３に示すように行えばよい。
【００４８】
即ち、エンベロープの立ち上がり時には、フィードバック係数がエンベロープより遅れて立ち上がるようにして、発音開始直後において、入力された楽音信号（原楽音信号）に対するフィードバックされた楽音信号による不必要な干渉を和らげるようにしている。また、エンベロープが所定レベル以下に減衰した場合には、フィードバック係数を立ち下げるようにして、フィードバック回路による発振が永続することを防止するとともに、入力される楽音信号がないときに不必要な発振が起きることを防止している。つまり、図３に示すようにフィードバック係数調整手段１２６のフィードバック係数を制御することにより、例えば、電気ギターの弦の弾弦による振動が減衰すると、フィードバックされた楽音信号も減衰することになる。
【００４９】
また、図３に示すように、入力係数の立ち下がり時のエンベロープのレベルを、フィードバック係数の立ち下がり時のエンベロープのレベルより高くしておくと、例えば、電気ギターの弦の弾弦による振動が減衰すると、入力された楽音信号（原楽音信号）が減衰してからフィードバックされた楽音信号が減衰することになるので、フィードバック奏法による極めて自然な発音状態を再現できる。
【００５０】
なお、上記した構成において、図示は省略するが、入力係数調整手段１１４の入力係数ならびにフィードバック係数調整手段１２６のフィードバック係数を制御するための操作子を別途設けるようにしてもよい。こうした操作子は、例えば、フット・ペダルやフット・スイッチなどとして構成することができ、さらに適宜の切り換えスイッチを設けることにより、当該入力係数ならびにフィードバック係数の制御をエンベロープのみに応じて行うか、上記した操作子の操作量のみに応じて行うか、あるいはエンベロープと操作子の操作量との双方に応じて行うかを選択することができるようにしてもよい。
【００５１】
そして、入力係数ならびにフィードバック係数の制御を操作子の操作量のみに応じて行う場合には、例えば、弾弦に伴う入力楽音信号が非線形処理手段１１６へ入力した後に、当該操作子の操作により入力係数を「０」に設定するとともにフィードバック係数を所定の発振を起こす値になるように設定し、電気ギターの弦の弾弦を繰り返すと、フィードバックされた楽音信号のみが発振して減衰することがなく、実際のフィードバック奏法で得られるような持続音のみを得ることができる。
【００５２】
また、入力係数ならびにフィードバック係数の制御をエンベロープと操作子の操作量との双方に応じて行う場合には、エンベロープに応じて制御された入力係数ならびにフィードバック係数に、操作子の操作量に対応する所定の係数を乗算して新たな入力係数ならびにフィードバック係数を生成する方法がある。その場合には、さらに操作子の操作量に応じてエンベロープによる制御を一部キャンセルするようにしても効果的である。
【００５３】
図４（ａ）は、操作子の操作量を、前記エンベロープに応じて制御されたフィードバック係数に乗算する乗算係数に変換する変換テーブル、図４（ｂ）は、操作子の操作量を、前記エンベロープに応じて制御された入力係数に乗算する乗算係数に変換する変換テーブルである。この変換テーブルに従って、操作子の操作量に対応する乗算係数を決定し、これを上記説明した図３に示されるようなエンベロープに対応して制御されるフィードバック係数ならびに入力係数に乗算することによって、新たなフィードバック係数ならびに入力係数を生成する。
【００５４】
このとき、操作子の操作量に応じて、入力係数ならびにフィードバック係数に対するエンベロープによる制御をキャンセルすることも効果的である。例えば、操作子の操作量が０〜５０％の範囲においては、エンベロープが所定レベル以下に減衰しても入力係数を立ち下げないようにし、また、操作子の操作量が５０〜１００％の範囲においては、エンベロープが所定レベル以下に減衰してもフィードバック係数を立ち下げないようにする。このようにすると、フィードバック状態のオン／オフおよび通常のギター音とフィードバック音とのバランスなどを、操作子の自然な操作感により調節することができるようになる。
【００５５】
さらに、上記した構成において、図示は省略するが、バンド・パス・フィルター１２２や櫛形フィルター１２４の中心周波数、通過帯域幅ならびに通過レベルを制御するための操作子を別途設けるようにして、当該操作子の操作により発生される楽音の音質調整を行うようにしてもよい。こうした操作子は、例えば、フット・ペダルやフット・スイッチなどとして構成することができ、さらに適宜の切り換えスイッチを設けることにより、当該中心周波数、通過帯域幅ならびに通過レベルの制御を入力された楽音のピッチのみに応じて行うか、上記した操作子の操作量のみに応じて行うか、あるいは入力された楽音のピッチと操作子の操作量とを相乗して行うかを選択することができるようにしてもよい。
【００５６】
なお、上記した実施の形態においては、単一の入力端子１０２ならびに当該入力端子１０２に連なるフィードバック回路を備えるようにしたが、これに限られることなしに、複数組の入力端子１０２ならびに当該入力端子１０２に連なるフィードバック回路を備えるようにしてもよい。図５は、２組の入力端子１０２ならびに当該入力端子１０２に連なるフィードバック回路を備えた構成例である。さらに各弦独立型ピックアップを用いるなどして、ギターの各弦毎に６組の入力端子１０２ならびに当該入力端子１０２に連なるフィードバック回路を備えるようにすれば、電気ギターで複数の弦が同時に弾弦される和音演奏に伴うフィードバック演奏にも対応することができ、非常に効果的である。
【００５７】
また、複数の入力端子１０２ならびに当該入力端子１０２に連なるフィードバック回路を備えるようにした場合には、図５の構成に示されるように、複数系統のフィードバック回路において非線形処理手段１１６を共用するように構成すると、装置全体の構成を簡素化することができ、さらには実際のフィードバック奏法に近いフィードバック回路構成になり、自然な楽音が得られるようになる。
【００５８】
【発明の効果】
本発明は、以上説明したように構成されているので、電気ギターの弦振動などに基づく楽音信号のように、減衰する楽音信号にフィードバック演奏を模擬する効果を付加することができ、フィードバック奏法に基づき達成されるフィードバック演奏と同一の効果を、如何なる場所でも確実に実現することができるという優れた効果を奏する。
【図面の簡単な説明】
【図１】本発明による効果装置を示す機能ブロック図である。
【図２】本発明による効果装置の実施の形態の一例を示すブロック構成図である。
【図３】入力された楽音信号のエンベロープに応じた入力係数調整手段の入力係数ならびにフィードバック係数調整手段のフィードバック係数の制御の一例を示す説明図である。
【図４】（ａ）は、操作子の操作量を、エンベロープに応じて制御されたフィードバック係数に乗算する乗算係数に変換する変換テーブルであり、（ｂ）は、操作子の操作量を、エンベロープに応じて制御された入力係数に乗算する乗算係数に変換する変換テーブルである。
【図５】本発明による効果装置の実施の形態の変形例を示し、２組の入力端子ならびに当該入力端子に連なるフィードバック回路を備えるようにした場合を示すブロック構成図である。
【符号の説明】
１０      効果装置
１２      電気ギター
１４      弦
１６      ピックアップ
１８      入力手段
２０      ピッチ検出手段
２２      フィルター手段
２４      加算器
２６      フィードバック・ループ
【図１】
0003585647.tif 000002
【図２】
0003585647.tif 000003
【図３】
0003585647.tif 000004
【図４】
0003585647.tif 000005
【図５】
0003585647.tif 000006